【手続補正書】
【提出日】平成20年8月27日(2008.8.27)
【手続補正１】
【補正対象書類名】明細書
【補正対象項目名】発明の名称
【補正方法】変更
【補正の内容】
【発明の名称】通信装置及び通信方法、並びに情報処理システム
【手続補正２】
【補正対象書類名】明細書
【補正対象項目名】特許請求の範囲
【補正方法】変更
【補正の内容】
【特許請求の範囲】
【請求項１】  第１の電子機器の情報処理プロセスに対してデータの送受信を行う情報処理プロセスを有する第１の通信手段と、
第２の電子機器の情報処理プロセスに対してデータの送受信を行う情報処理プロセスを有する第２の通信手段とを備え、
上記第１の通信手段と上記第２の通信手段とが無線又は有線により接続されたときに、当該第１の通信手段の上記データの送受信を行う情報処理プロセスと当該第２の通信手段の上記データの送受信を行う情報処理プロセスとの間でプロセス間通信を行うことにより、上記第１の電子機器の情報処理プロセスと上記第２の電子機器の情報処理プロセスとの間でプロセス間通信がなされる
通信装置。
【請求項２】  上記情報処理プロセスがオブジェクト指向により作成されたプログラムからなる請求項１記載の通信装置。
【請求項３】  上記第１の電子機器が情報処理プロセスにより動作が制御されるロボット装置であり、上記第２の電子機器が情報処理装置である請求項１記載の通信装置。
【請求項４】  上記第１の通信手段の上記データの送受信を行う情報処理プロセスと上記第２の通信手段の上記データの送受信を行う情報処理プロセスとの間のプロセス間通信にてネットワーク通信へのプロトコル変換をすることにより、上記第１の電子機器の情報処理プロセスと上記第２の電子機器の情報処理プロセスとの間でプロセス間通信がなされる請求項１記載の通信装置。
【請求項５】  上記ネットワーク通信へのプロトコル変換によりＴＣＰ／ＩＰ（Transmission Control Protocol/Internet Protocol）への変換がなされる請求項４記載の通信装置。
【請求項６】  上記第１及び第２の通信手段の上記データの送受信を行う情報処理プロセスは、通信方式の設定が記述される設定ファイルを有し、この設定ファイルの記述事項に基づいて、上記第１の通信手段の上記データの送受信を行う情報処理プロセスと上記第２の通信手段の上記データの送受信を行う情報処理プロセスとの間でプロセス間通信を行う請求項１記載の通信装置。
【請求項７】  上記設定ファイルには、上記第１の電子機器の情報処理プロセスと上記第２の電子機器の情報処理プロセスとの間のプロセス間通信のサービス名が記述されており、
上記第１及び第２の通信手段の上記データの送受信を行う情報処理プロセスが上記設定ファイルに記述されているサービス名に基づいて上記第１の通信手段の上記データの送受信を行う情報処理プロセスと上記第２の通信手段の上記データの送受信を行う情報処理プロセスとの間でプロセス間通信を行うことにより、上記第１の電子機器の情報処理プロセスと上記第２の電子機器の情報処理プロセスとの間で上記サービス名に対応されるプロセス間通信がなされる請求項６記載の通信装置。
【請求項８】  上記設定ファイルには、上記第１の通信手段の上記データの送受信を行う情報処理プロセスと上記第２の通信手段の上記データの送受信を行う情報処理プロセスとの接続の対応事項が記述されており、
上記第１の通信手段の上記データの送受信を行う情報処理プロセスと第２の通信手段の上記データの送受信を行う情報処理プロセスとは、上記設定ファイルに記述されている上記接続の対応事項に基づいて、プロセス間通信が可能な状態に接続される請求項６記載の通信装置。
【請求項９】  第１の電子機器の情報処理プロセスに対してデータの送受信を行う情報処理プロセスを有する第１の通信手段と、第２の電子機器の情報処理プロセスに対してデータの送受信を行う情報処理プロセスを有する第２の通信手段とを無線又は有線により接続して、当該第１の通信手段の上記データの送受信を行う情報処理プロセスと当該第２の通信手段の上記データの送受信を行う情報処理プロセスとの間でプロセス間通信を行うことにより、上記第１の電子機器の情報処理プロセスと上記第２の電子機器の情報処理プロセスとの間でプロセス間通信を行う
通信方法。
【請求項１０】  情報処理プロセスにより制御される電子機器と、
上記電子機器の制御に使用する上記情報処理プロセスが取り込まれて、当該情報処理プロセスを取り扱う情報処理装置と、
上記電子機器と上記情報処理装置との間で無線又は有線により通信を行う通信手段とを備え、
上記情報処理装置は、上記電子機器が動作されている際の当該電子器機の情報の情報処理プロセスと上記取り込んだ情報処理プロセスとの間で上記通信手段による通信を行い、上記電子機器の情報処理プロセスから送信されてくるデータを使用し、上記取り込んだ情報処理プロセスを取り扱う
情報処理システム。
【請求項１１】  上記情報処理プロセスがオブジェクト指向により作成されたプログラムからなる請求項１０記載の情報処理システム。
【請求項１２】  上記情報処理装置は、上記情報処理プロセスを取り扱うこととして、当該情報処理プロセスを加工する請求項１０記載の情報処理システム。
【請求項１３】  上記情報処理装置は、上記情報処理プロセスを取り扱うこととして、当該情報処理プロセスによる処理状態を外部出力する請求項１０記載の情報処理システム。
【請求項１４】  上記通信手段は、電子機器の情報処理プロセスに対してデータの送受信を行う情報処理プロセスを有する第１の通信手段と、上記情報処理装置の情報処理プロセスに対してデータの送受信を行う情報処理プロセスを有する第２の通信手段とを備え、
上記第１の通信手段と上記第２の通信手段とが無線又は有線により接続されたときに、当該第１の通信手段の上記データの送受信を行う情報処理プロセスと当該第２の通信手段の上記データの送受信を行う情報処理プロセスとの間でプロセス間通信を行うことにより、上記電子機器の情報処理プロセスと上記情報処理装置の情報処理プロセスとの間でプロセス間通信がなされる請求項１０記載の情報処理システム。
【請求項１５】  上記第１の通信手段の上記データの送受信を行う情報処理プロセスと上記第２の通信手段の上記データの送受信を行う情報処理プロセスとの間のプロセス間通信にてネットワーク通信へのプロトコル変換をすることにより、上記電子機器の情報処理プロセスと上記情報処理装置の情報処理プロセスとの間でプロセス間通信がなされる請求項１４記載の情報処理システム。
【請求項１６】  上記ネットワーク通信へのプロトコル変換によりＴＣＰ／ＩＰ（Transmission Control Protocol/Internet Protocol）への変換がなされる請求項１５記載の情報処理システム。
【請求項１７】  上記第１及び第２の通信手段の上記データの送受信を行う情報処理プロセスは、通信方式の設定が記述される設定ファイルを有し、この設定ファイルの記述事項に基づいて、上記第１の通信手段の上記データの送受信を行う情報処理プロセスと上記第２の通信手段の上記データの送受信を行う情報処理プロセスとの間でプロセス間通信を行う請求項１４記載の情報処理システム。
【請求項１８】  上記設定ファイルには、上記電子機器の情報処理プロセスと上記情報処理装置の情報処理プロセスとの間のプロセス間通信のサービス名が記述されており、
上記第１及び第２の通信手段の上記データの送受信を行う情報処理プロセスが上記設定ファイルに記述されているサービス名に基づいて上記第１の通信手段の上記データの送受信を行う情報処理プロセスと上記第２の通信手段の上記データの送受信を行う情報処理プロセスとの間でプロセス間通信を行うことにより、上記電子機器の情報処理プロセスと上記情報処理装置の情報処理プロセスとの間で上記サービス名に対応されるプロセス間通信がなされる請求項１７記載の情報処理システム。
【請求項１９】  上記設定ファイルには、上記第１の通信手段の上記データの送受信を行う情報処理プロセスと上記第２の通信手段の上記データの送受信を行う情報処理プロセスとの接続の対応事項が記述されており、
上記第１の通信手段の上記データの送受信を行う情報処理プロセスと第２の通信手段の上記データの送受信を行う情報処理プロセスとは、上記設定ファイルに記述されている上記接続の対応事項に基づいて、プロセス間通信が可能な状態に接続される請求項１７記載の情報処理システム。
【手続補正３】
【補正対象書類名】明細書
【補正対象項目名】０００１
【補正方法】変更
【補正の内容】
【０００１】
【発明の属する技術分野】
本発明は、電子機器間で通信を行うための通信装置及び通信方法、並びに情報処理を行う情報処理システムに関する。
【手続補正４】
【補正対象書類名】明細書
【補正対象項目名】０００９
【補正方法】変更
【補正の内容】
【０００９】
そこで、本発明は、上述の実情に鑑みてなされたものであり、ソフトウェア（プロセス）部品間の変更を容易にする通信装置及び通信方法、並びに情報処理システムを提供することを目的としている。